(57)【要約】      （修正有）【課題】マスク使用者にとってマスク中心部の開口部の開閉が容易であって、開口部が開いた際に食べ物で汚れるリスクが小さい衛生マスクを提供する。【解決手段】両側部に耳ひもが付いた鼻の先端部を覆って口を覆い顎の先端部を経て下顎部に到る部分を覆う衛生マスクであって、マスクの中央にマスクを着用したときに利用者の口が露出する開口部が設けられ、マスクの表面に開口部を塞ぐことができる保護シートを着脱可能とするための着脱可能手段が取り付けられている。保護シートは付属されている。【選択図】図４
0003232743.tif 000002
【実用新案登録請求の範囲】
【請求項１】
両側部に耳ひもが付いた鼻の先端部を覆って口を覆い顎の先端部を経て下顎部に到る部分を覆う衛生マスクであって、
当該マスクの中央に当該マスクを着用したときにマスク使用者の口が露出する開口部が設けられ、
当該マスクの表面に前記開口部を塞ぐことができる保護シートを着脱可能とするための着脱可能手段が取り付けられ、
前記保護シートが付属されていることを特徴とするマスク。
【請求項２】
前記開口部の上下の周縁部及び衛生マスクの表側の左右両端の間の領域について、２枚以上のマスク生地から構成させることを特徴とする、請求項１の衛生マスク。
【請求項３】
前記開口部の上下の周縁部及び衛生マスクの表側の左右両端の間の領域について、マスク生地が当該開口部の上下の縁に沿って折りたたまれることで複数の層に縫製させることを特徴とする、請求項１の衛生マスク。
【請求項４】
前記着脱可能手段が、面ファスナー、ボタン又は磁石から選択されるものであることを特徴とする請求項１乃至３のいずれかに記載の衛生マスク。
【考案の詳細な説明】
【技術分野】
【０００１】
本考案は衛生マスクに関するものである。
【背景技術】
【０００２】
昨今、新型インフルエンザウイルス（病名はCOVID-19、ウイルス名はSARS-CoV-2）の流行に伴い、マスク着用が強く促されています。特に、飲食店での感染リスクが指摘されています。
【０００３】
飲食店での会食時には、複数人が近い位置にいることや、会話時に飛沫が発生するなどして感染リスクを高めている。飲食時は、マスクを外すことが通常であるので、飲食中の会話時もマスクをしていないケースが多々あり、感染原因として指摘されている。
【０００４】
この課題に対応するために、従来技術としては、マスクの中心部に縦方向に開閉できるスライドファスナーが設けられているものがある。このスライドファスナーを開けることで、マスク使用者がマスクをしたまま人間の口に相当する部分が開くために、飲食することを可能とする（登録実用新案3228247号  マスク）。
【０００５】
また、マスクの中央部に開口部をマスク使用者の口の動きに追従して開口部の形状が変形することを特徴とする紙製マスクも開示されている（登録実用新案第3230723号  紙製マスク）。
【先行技術文献】
【特許文献】
【０００６】
【特許文献１】登録実用新案3228247号  マスク
【特許文献２】登録実用新案第3230723号  紙製マスク
【考案の概要】
【考案が解決しようとする課題】
【０００７】
しかし、マスク中央部にスライドファスナーがあるものでは、マスク使用者にとっては、頻繁な開閉作用を不便と感じる場合もある。また、マスク使用者の口の動きに追従して開口部の形状が変形するものも、開口部が小さく開いた際には、食べ物がマスクに接触してマスクが汚れてしまうなどの課題がある。
【０００８】
そこで、本考案者は鋭意検討した結果、マスク使用者にとって開口部の開閉が容易であって、開口部が開いた際に食べ物で汚れるリスクが小さいものを考案した。これにより、マスクをしたままでの飲食が可能となり、飲食の時のみマスクの開口部を開け、会食時の会話の際には開口部を閉じることにより、会食時の飛沫感染の機会を大幅に減らすことができると考える。
【課題を解決するための手段】
【０００９】
本考案がその技術的課題を解決するために用いる技術的手段としては、次のようなものである。
【００１０】
両側部に耳ひもが付いた鼻の先端部を覆って口を覆い顎の先端部を経て下顎部に到る部分を覆う衛生マスクであって、当該マスクの中央に当該マスクを着用したときにマスク使用者の口が露出する開口部が設けられ、当該マスクの表面に前記開口部を塞ぐことができる保護シートを着脱可能とするための着脱可能手段が取り付けられ、前記保護シートが付属されていることを特徴とするマスクを提供する。
【００１１】
前記開口部の上下の周縁部及び衛生マスクの表側の左右両端の間の領域について、２枚以上のマスク生地から構成させることを特徴としても良い。
【００１２】
前記開口部の上下の周縁部及び衛生マスクの表側の左右両端の間の領域について、マスク生地が当該開口部の上下の縁に沿って折りたたまれることで複数の層に縫製させることを特徴としても良い。
【００１３】
前記着脱可能手段が、面ファスナー、ボタン又は磁石から選択されるものであることを特徴としても良い。
【００１４】
以下、添付図面及び実施例を組み合わせて本考案を更に説明する。
【図面の簡単な説明】
【００１５】
【図１】本考案の衛生マスク（保護シート有）の表面を表す正面図。
【図２】本考案の衛生マスク（保護シート無）の表面を表す正面図。
【図３】本考案の衛生マスク（保護シート無）の表面を表す裏面図。
【図４】本考案の衛生マスクを使用する状況を表す図
【考案の実施の形態】
【００１６】
以下本考案を図面に基づいて説明する。本考案は、下記の実施例に限定されるものではない。図１ は、本考案の衛生マスク（保護シート有）の表面を表す正面図である。図１では、衛生マスク本体の開口部に保護シートを接着させた状態を示す。
【００１７】
図１では、衛生マスク本体と使用者の耳とを接続させるための紐が示されている。また、保護シートは、衛生マスク本体の開口部よりも大きなものとして、開口部と衛生マスク本体の間に隙間が生じないようなサイズとする。前記開口部の上下の周縁部及び衛生マスクの表側の左右両端の間の領域について、マスク生地が当該開口部の上下の縁に沿って折りたたまれることで複数の層に縫製させるものとしている（図２参照）。
【００１８】
本実施例では、保護シートと衛生マスク本体は、同じ素材の布を使用して、同じ色・デザインとした。本実施例の衛生マスクでは、外形上は、特殊なマスクと認識させないものとしている。保護シートの裏面の両脇には縦方向に面ファスナーが取り付けられており、衛生マスク本体にも、これに相補的となるように開口部の脇にも面ファスナーが設けられている（図２）。面ファスナーは、図２のドット（水玉模様）で表示した部分である。保護シートが開口部を塞ぎながら、保護シートと衛生マスク本体に隙間を極力生じさせないものとしている。
【００１９】
図２は、本考案の衛生マスク（保護シート無）の表面を表す正面図である。保護シートの裏面の両脇には縦方向に面ファスナーが取り付けられている。この面ファスナーが保護シートの裏面の左右両端に設けられている面ファスナーと相補的となり着脱することが可能となる。面ファスナーを採用したことにより、衛生マスク本体と保護シートの着脱が容易となり、飲食時においても頻繁に開閉できるために、飲食時の飛沫感染のリスクを大幅に低下させることができる。
【００２０】
前記開口部の上下の周縁部及び衛生マスクの表側の左右両端の間の領域について、マスク生地が当該開口部の上下の縁に沿って折りたたまれることで複数の層に縫製させるものとしている。本実施例では、開口部の上下の縁にそって裏面側が表面に折りたたまれ、さらに折りたたまれて現れた裏面が再度折りたたまれている構成としている。２回折りたたまれているために、マスクの正面から見ると、折りたたまれた部位も表面の生地模様が表れるようになっている。
【００２１】
折りたたまれて、複数の層となっている領域（本実施例では３層）の幅は、任意であるが、本実施例では、開口部の上下の縁からマスク本体の上下の端までの幅の約半分としている。複数の層となっている領域（横長の帯形状）は、開口部の上下の縁からマスク本体の左右の端まで構成されているものとしている。
【００２２】
前記開口部の上下の周縁部及び衛生マスクの表側の左右両端の間の領域を複数の層としたことで、綻びが出やすい開口部の縁を強化することができる。また、開口部の上下の縁からマスク本体の上下の端までの幅の約半分としている。また、前記開口部の上下の周縁部及び衛生マスクの表側の左右両端の間の領域（横長の帯形状）を複数の層としたことで、当該部分が他の部分と比較して堅くなっていることから、フェイスラインに沿った形で衛生マスクが全体的に円弧状となるように立体縫製し易くいものとしている。
【００２３】
本考案の衛生マスクの素材は問わないが、本実施例では布としている。衛生マスクの裏面には、メッシュ状のクッション材が設けられている（図３）。この通気性のあるクッション材により顔面の皮膚が直接に衛生マスクの布などに接することを妨げて汗などのべた付きを抑制する。また、クッション性を有することで、衛生マスクで使用者の鼻や口などを密着させやすく、できるだけ隙間が生じることを防ぐものとしている。メッシュ状のクッション材は、図３の網掛けで表示した部分である。
【００２４】
図４は、本考案の衛生マスクを使用する状況を表す図である。衛生マスクは、通常のマスクと同様に使用者の耳にかけて鼻、口及び下顎に至るまで覆うものである。主に、通常の衛生マスクと異なるのは、使用者の口を覆う部分に開口部を設けており、その開口部を塞ぐ脱着可能な保護シートが付属している点である。
【００２５】
面ファスナーは開口部の左右の両方についているので、開口部を開ける際には、任意にいずれか一か所は接着したままで、他方の接着部を外すことで、開口部を容易に開けることができる。また、完全に開口部を開けたい場合には、両方の面ファスナーの外すこともできる。
【００２６】
本考案によって、会食時や飲食時などにおいて、衛生マスクをつけたまま食事をすることができる（図４）。そして、飲食をする短時間のみ、本衛生マスクの開口部を使用者が開けることができる。また、ストローを使用して飲料を飲む場合には、開口部をわずかに開けることもできる。
【００２７】
本考案の衛生マスクを使用することにより、会食時の飛沫感染の機会を大幅に減らすことができる。
【図１】
0003232743.tif 000003
【図２】
0003232743.tif 000004
【図３】
0003232743.tif 000005
【図４】
0003232743.tif 000006